(57)【特許請求の範囲】
【請求項１】
透光性を有し、特定の視認方向手前側の領域をなす前方領域から前記視認方向奥側の領域をなす後方領域を視認可能なクリアケース本体を有し、
前記前方領域の一部が、印刷が施された前方印刷領域とされ、前記前方領域の残部が、印刷の施されていない前方非印刷領域とされており、
前記後方領域の一部又は全部が、印刷が施された後方印刷領域とされており、
前記前方領域側から前記視認方向に視認することにより、前記前方印刷領域において印刷により呈示された絵柄、及び前記前方非印刷領域を通じて視認される前記後方印刷領域において印刷により呈示された絵柄の組合せからなる意匠絵図が構成されることを特徴とするクリアケース。
【請求項２】
透光性を有する素材により構成され、特定の視認方向手前側の領域をなす前方領域から前記視認方向奥側の領域をなす後方領域を視認可能なクリアケース本体を有し、
前記透光性を有する素材の表面及び裏面のいずれか一方が絵柄の印刷が施される印刷面であり、他方が絵柄の印刷が施されていない非印刷面とされ、
前記印刷面が前記クリアケース本体の内側に向くように組み立てられるものであり、
前記前方領域の一部が、前記非印刷面側から前記印刷面に施された前記絵柄を視認可能とされた前方印刷領域とされ、前記前方領域の残部が、印刷の施されていない前方非印刷領域とされており、
前記後方領域の一部又は全部が、前記印刷面側から前記絵柄を視認可能なように印刷が施された後方印刷領域とされており、
前記前方領域側から前記視認方向に視認することにより、前記前方印刷領域に呈示された前記絵柄、及び前記前方非印刷領域を通じて視認される前記後方印刷領域に呈示された前記絵柄の組合せからなる意匠絵図が構成されることを特徴とするクリアケース。
【請求項３】
前記クリアケース本体が、透光性を有するシート状素材によって構成されていることを特徴とする請求項１又は２に記載のクリアケース。
【請求項４】
前記前方印刷領域において、前記印刷面に対して前記意匠絵図を構成する着色を施した前方側図柄層が重なり、さらに前記前方側図柄層の一部又は全部に対して無彩色の前方側下地層が重なるように多層印刷が施されており、
前記後方印刷領域において、前記印刷面に対して無彩色の後方側下地層が重なり、さらに前記後方側下地層に対して前記意匠絵図を構成する着色を施した後方側図柄層が重なるように多層印刷が施されていることを特徴とする請求項２に記載のクリアケース。
【請求項５】
前記クリアケースの内部空間に収容される収容物と、前記前方印刷領域及び前記後方印刷領域に施された印刷との組合せにより意匠絵図が構成されることを特徴とする請求項１〜４のいずれかに記載のクリアケース。
【請求項６】
前記クリアケース本体の視認方向に応じて複数の前記意匠絵図を視認可能であり、
前記前方領域を所定方向から視認することにより、複数の前記意匠絵図を同時に視認可能であることを特徴とする請求項１〜５のいずれかに記載のクリアケース。
【請求項７】
前記クリアケース本体内に収容された物品を前記前方領域側から視認可能なように支持する支持部材を備えており、
前記支持部材が、透光性を有する支持部材用素材によって構成されたものであり、
前記クリアケース本体内において前記前方領域側に配置される前方支持部と、
前記クリアケース本体内において前記前方支持部よりも前記視認方向奥側に配置される後方支持部とを有し、
前記クリアケース本体を前記前方領域側から視認することにより、前記前方支持部及び前記後方支持部に印刷により呈示された図柄の組合せからなる意匠絵図が構成されることを特徴とする請求項１〜６のいずれかに記載のクリアケース。
【請求項８】
透光性を有するクリアケース本体内に収容された物品を、前記クリアケース本体において特定の視認方向手前側の面をなす前方領域側から視認可能なように支持するクリアケース用支持部材であって、
透光性を有する支持部材用素材によって構成されており、
前記クリアケース本体内において前記前方領域側に配置される前方支持部と、
前記クリアケース本体内において前記前方支持部よりも前記視認方向奥側に配置される後方支持部とを有し、
前記クリアケース本体を前記前方領域側から視認することにより、前記前方支持部及び前記後方支持部に印刷により呈示された図柄の組合せからなる意匠絵図が構成されることを特徴とするクリアケース用支持部材。
【請求項９】
前記支持部材用素材が、シート状の素材によって構成されていることを特徴とする請求項８に記載のクリアケース用支持部材。
【請求項１０】
透光性を有するシート状素材によって構成され、特定の視認方向手前側の面をなす前方領域側から内部を視認可能であって、前記前方領域に、前記非印刷面側から前記絵柄を視認可能なように印刷が施された前方印刷領域が設けられ、前記前方領域に対して前記視認方向奥側の面をなす後方領域に、前記印刷面側から前記絵柄を視認可能なように印刷が施された後方印刷領域が設けられたクリアケースに用いられるシート素材の製造方法であって、
前記シート状素材の表面及び裏面のいずれか一方からなる印刷面に対して無彩色の塗布材で印刷を施すことにより、前記後方印刷領域における下地となる下地層を含む領域の印刷を行う第一印刷工程と、
前記第一印刷工程による印刷処理が施された前記シート状素材の前記印刷面上に塗布材で印刷を施すことにより、前記前方印刷領域及び前記後方印刷領域における図柄層を含む領域の印刷を行う第二印刷工程と、
前記第二印刷工程による印刷処理が施された前記シート状素材の前記印刷面上に、無彩色の塗布材で印刷を施すことにより、前記前方印刷領域において下地となる下地層を含む領域の印刷を行う第三印刷工程とを有することを特徴とするシート素材の製造方法。
【発明の詳細な説明】
【技術分野】
【０００１】
本発明は、物品を収容するためのクリアケース、クリアケース用支持部材、及びシート素材の製造方法に関する。
【背景技術】
【０００２】
従来、下記特許文献１に開示されているクリアケース用支持部材や、下記特許文献２に開示されている包装用箱等、クリアケースに対して印刷を施す部分とクリアケースの透明な部分とを活用し、視覚効果や展示効果を生じるものが提供されている。
【０００３】
特許文献１に開示されているクリアケース用支持部材は、クリアケースに収納する物品を支持するための支持部材に印刷が施されている。
【０００４】
また、下記特許文献２に開示されている包装用箱は、包装用箱の組立て状態において絵柄印刷片の外側において重なる蓋部を有する。この包装用箱は、前記蓋部に絵柄印刷片に印刷された絵柄と同じ絵柄を印刷した上で複数の抜き部を設けた構造とされている。このような構成とすることにより、包装用箱の組立て状態において、蓋部に設けられた絵柄と、抜き部を透過して視認される絵柄印刷片の絵柄との僅かにずれて視認させ、視覚的に趣向を凝らした表現を実現しようとしている。
【先行技術文献】
【特許文献】
【０００５】
【特許文献１】特開２０１０−６４７７７号公報
【特許文献２】特開２０１０−２３５１６２号公報
【発明の概要】
【発明が解決しようとする課題】
【０００６】
上述した特許文献１のクリアケース用支持部材によれば、支持部材に施された背景となる絵柄と収容される物品との組合せにより視覚効果が期待される。しかしながら、この支持部材は、クリアケース内に配置された物品の背景を構成するだけのものであり、遠近感を利用した立体感溢れた表現が可能なものではない。
【０００７】
また、上述した特許文献２の包装用箱は、印刷が施された１枚のブランクシートから形成されるものにより、多少の奥行き感を与えることができる。しかしながら、紙の厚みやたわみを利用して奥行き感を視認させるようとするものであるため、立体的な視覚効果が不十分である。また、この包装用箱では、内部に収納された物品と一体となったデザインによる視覚効果を与えることはできない。そのため、特許文献２の包装用箱をもってしても、遠近感を利用した立体感溢れた表現を十分に行うことができない。
【０００８】
かかる知見に基づき、本発明においては、遠近感を利用した立体感溢れた表現が可能であると共に、内部に収容された物品と一体化された意匠表現を実現可能なクリアケースやクリアケース用支持部材と、このような立体的表現を実現するためのシート素材の製造方法の提供と目的とした。
【課題を解決するための手段】
【０００９】
上述した課題を解決すべく提供される本発明のクリアケースは、透光性を有するシート状素材によって構成され、特定の視認方向手前側の領域をなす前方領域から前記視認方向奥側の領域をなす後方領域を視認可能なクリアケース本体を有し、前記前方領域の一部が、印刷が施された前方印刷領域とされ、前記前方領域の残部が、印刷の施されていない前方非印刷領域とされており、前記後方領域の一部又は全部が、印刷が施された後方印刷領域とされており、前記前方領域側から前記視認方向に視認することにより、前記前方印刷領域において印刷により呈示された絵柄、及び前記前方非印刷領域を通じて視認される前記後方印刷領域において印刷により呈示された絵柄の組合せからなる意匠絵図が構成されるものである。
【００１０】
本発明のクリアケースは、特定の視認方向から視認した状態において、手前側に位置する前方領域において印刷が施されていない領域（前方非印刷領域）を通じ、後方側に位置する後方領域の後方印刷領域に印刷された絵柄が視認できる。また、前方印刷領域と後方側印刷領域とが視認方向の前後に離れた位置にあるため、前方印刷領域及び後方印刷領域に呈示された絵柄の組合せにより遠近感を持たせた表現が可能となり、立体感溢れる意匠絵図を構成できる。すなわち、本発明のクリアケースにおいては、前方印刷領域及び後方印刷領域に呈示された絵柄の間に、クリアケース本体に形成された内部空間の奥行きに相当する遠近差があり、その効果により立体感溢れた表現が可能となる。
【００１１】
また、本発明のクリアケースは、内部に物品を収容すると、前方印刷領域に呈示された絵柄が見えると共に、前方非印刷領域を介して内部に収容された物品が見え、さらにその背後に後方印刷領域に施された絵柄が見える状態になる。そのため、本発明のクリアケースによれば、前方印刷領域及び後方印刷領域に施された絵柄と内部に収容された物品とが一体化された意匠表現を実現できる。
【００１２】
また、本発明のクリアケースは、従来技術のように別途支持部材等を設けることを必須とすることなく、立体感溢れる意匠効果を得ることができる。そのため、本発明のクリアケースは、製造に要するコストや手間を最小限に抑制できる。
【００１３】
また、同様の知見に基づいて提供される本発明のクリアケースは、透光性を有するのシート状素材によって構成され、特定の視認方向手前側の領域をなす前方領域から前記視認方向奥側の領域をなす後方領域を視認可能なクリアケース本体を有し、前記シート状素材の表面及び裏面のいずれか一方が絵柄の印刷が施される印刷面であり、他方が絵柄の印刷が施されていない非印刷面とされ、前記印刷面が前記クリアケース本体の内側に向くように組み立てられるものであり、前記前方領域の一部が、前記非印刷面側から前記印刷面に施された前記絵柄を視認可能とされた前方印刷領域とされ、前記前方領域の残部が、印刷の施されていない前方非印刷領域とされており、前記後方領域の一部又は全部が、前記印刷面側から前記絵柄を視認可能なように印刷が施された後方印刷領域とされており、前記前方領域側から前記視認方向に視認することにより、前記前方印刷領域に呈示された前記絵柄、及び前記前方非印刷領域を通じて視認される前記後方印刷領域に呈示された前記絵柄の組合せからなる意匠絵図が構成されるものである。
【００１４】
本発明のクリアケースにおいては、特定の視認方向から視認すると、前方印刷領域に印刷された絵柄と共に、前方非印刷領域を介して後方印刷領域に印刷された絵柄が視認でき、両者が相まって意匠絵図が構成される。また、意匠絵図を構成する一部が手前側、残部が奥側に見えるため、意匠絵図を遠近感を持たせた立体感溢れるものとすることができる。すなわち、本発明のクリアケースにおいては、クリアケース本体に形成された内部空間の奥行きに相当する遠近差があり、その効果により立体感溢れた表現が可能となる。
【００１５】
また、本発明のクリアケースは、内部に物品を収容すると、前方印刷領域に呈示された絵柄が見えると共に、前方非印刷領域を介して内部に収容された物品が見え、さらにその背後に後方印刷領域に施された絵柄が見える状態になる。そのため、本発明のクリアケースによれば、前方印刷領域及び後方印刷領域に施された絵柄と内部に収容された物品とが一体化された意匠表現を実現できる。
【００１６】
また、本発明のクリアケースは、従来技術のように別途支持部材等を設けることを必須としない。そのため、本発明のクリアケースは、製造に要するコストや手間を最小限に抑制できる。
【００１７】
さらに、本発明のクリアケースにおいては、シート状素材のうち、組立状態においてクリアケース本体の内側を向く面が印刷面とされ、印刷面に印刷が施される。これにより、前面印刷領域に印刷により施された絵柄をクリアケース本体をなすシート状素材の質感を活かしつつ表現することができる。また、後面印刷領域に施された絵柄についても、前面非印刷領域を通じて視認されるため、シート状素材の質感と相まった表現がなされる。従って、本発明によれば、クリアケース本体を構成するシート状素材の質感を活かした意匠絵図の表現が可能となる。
【００１８】
ここで、本発明のクリアケースのようにシート状素材を用いた場合、単に印刷を施しただけでは印刷部分が透けてしまう。これにより、前方領域に印刷により施された絵柄が、クリアケース本体の収容物や後方領域の絵柄と重複し、想定したような意匠効果が得られない可能性がある。また、後方領域の絵柄が透けてしまうと、クリアケース本体の背後に存在する物等が意匠絵図に紛れ込み、意匠効果が損なわれるという問題がある。
【００１９】
かかる知見に基づけば、上述した本発明のクリアケースは、前記前方印刷領域において、前記印刷面に対して前記意匠絵図を構成する着色を施した前面側図柄層が重なり、さらに前記前面側図柄層の一部又は全部に対して無彩色の前方側下地層が重なるように多層印刷が施されており、前記後方印刷領域において、前記印刷面の一部又は全部に対して無彩色の背面側下地層が重なり、さらに前記背面側下地層に対して前記意匠絵図を構成する着色を施した背面側図柄層が重なるように多層印刷が施されているものであることが望ましい。
【００２０】
上述したように前方側下地層や背面側下地層を設けることにより、前面側図柄層や背面側図柄層が透けてしまうのを防止できる。また、上述したように前方側下地層や背面側下地層を無彩色とすることにより、前面側図柄層や背面側図柄層に施された色彩を引き立てることができる。
【００２１】
また、前面側図柄層の一部に前方側下地層が重なり、前面側図柄層の残部には前方側下地層が重ならないように印刷を施した場合には、前面側図柄層に施された絵柄の一部に透ける部分を形成できる。同様に、後方印刷領域において印刷面の一部に背面側下地層が重なり、残部に背面側下地層が重ならないように印刷を施した場合には、背面側図柄層に施された絵柄の一部に透ける部分を形成できる。このように、本発明のクリアケースにおいては、前方側下地層や背面側下地層を活用して前面側図柄層や背面側図柄層に施された絵柄の透け具合を調整できる。
【００２２】
上述した本発明のクリアケースは、前記内部空間に収容される収容物と、前記前方印刷領域及び前記後方印刷領域に施された印刷との組合せにより意匠絵図が構成されるものであることが望ましい。
【００２３】
本発明のクリアケースは、シート状素材によって形成されており、内部空間に収容されている収容物を視認できることを利用し、収容物とクリアケース本体に施された意匠絵図とが一体化して見えるデザイン構造を実現できる。すなわち、本発明のクリアケースによれば、意匠絵図に加えて収容物をデザインを構成するものとして活用できる。
【００２４】
上述した本発明のクリアケースは、前記クリアケース本体の視認方向に応じて複数の前記意匠絵図を視認可能であり、前記前方領域を所定方向から視認することにより、複数の前記意匠絵図を同時に視認可能であることが好ましい。
【００２５】
かかる構成とすることで、視認方向の変化に伴い意匠絵図も変化する意匠効果が得られるクリアケースを提供できる。また、本発明のように前方領域を所定方向から視認することにより複数の意匠絵図を同時に視認可能とすることにより、意匠絵図の組合せによる新たな意匠効果を得ることも可能となる。
【００２６】
上述した本発明のクリアケースは、前記クリアケース本体内に収容された物品を前記前方領域側から視認可能なように支持する支持部材を備えており、前記支持部材が、シート状であって透光性を有する支持部材用素材によって構成されたものであり、前記クリアケース本体内において前記前方領域側に配置される前方支持部と、前記クリアケース本体内において前記前方支持部よりも前記視認方向奥側に配置される後方支持部とを有し、前記クリアケース本体を前記前方領域側から視認することにより、前記前方支持部及び後方支持部に印刷により呈示された図柄の組合せからなる意匠絵図が構成されるものである。
【００２７】
本発明のクリアケースは、物品を支持するための支持部材を備えている。この支持部材は、クリアケース本体内において前方領域側に配置される前方支持部と、視認方向奥側に配置される後方支持部とを有し、前方領域側から視認することにより、前方支持部及び後方支持部に呈示された図柄の組合せからなる意匠絵図が構成される構造となっている。また、前方支持部及び後方支持部が視認方向の前後に離れた位置に存在しているため、遠近感を持たせた表現が可能となる。そのため、本発明によれば、クリアケース本体だけでなく支持部材も意匠効果を発揮するための素材として活用できる。
【００２８】
また、本発明のクリアケース用支持部材は、透光性を有するクリアケース本体内に収容された物品を、前記クリアケース本体において特定の視認方向手前側の面をなす前方領域側から視認可能なように支持するクリアケース用支持部材であって、シート状であって透光性を有する支持部材用素材によって構成されており、前記クリアケース本体内において前記前方領域側に配置される前方支持部と、前記クリアケース本体内において前記前方支持部よりも前記視認方向奥側に配置される後方支持部とを有し、前記クリアケース本体を前記前方領域側から視認することにより、前記前方支持部及び後方支持部に印刷により呈示された図柄の組合せからなる意匠絵図が構成されるものである。
【００２９】
本発明のクリアケース用支持部材は、クリアケース本体内において前方領域側に配置される前方支持部と、視認方向奥側に配置される後方支持部とを有し、前方領域側から視認することにより、前方支持部及び後方支持部に呈示された図柄の組合せからなる意匠絵図が構成される構造となっている。また、前方支持部及び後方支持部が視認方向の前後に離れた位置に存在しているため、遠近感を持たせた表現が可能となる。そのため、本発明によれば、意匠効果を発揮するための素材として活用可能なクリアケース用支持部材を提供できる。
【００３０】
また、本発明のシート素材の製造方法は、透光性を有するシート状素材によって構成され、特定の視認方向手前側の面をなす前方領域側から内部を視認可能であって、前記前方領域に、前記非印刷面側から前記絵柄を視認可能なように印刷が施された前方印刷領域が設けられ、前記前方領域に対して前記視認方向奥側の面をなす後方領域に、前記印刷面側から前記絵柄を視認可能なように印刷が施された後方印刷領域が設けられたクリアケースに用いられるもの関する。本発明のシート素材の製造方法は、前記シート状素材の表面及び裏面のいずれか一方からなる印刷面に対して無彩色の塗布材で印刷を施すことにより、前記後方印刷領域における下地となる下地層を含む領域の印刷を行う第一印刷工程と、前記第一印刷工程による印刷処理が施された前記シート状素材の前記印刷面上に印刷を施すことにより、前記前方印刷領域及び前記後方印刷領域における図柄層の印刷を行う第二印刷工程と、前記第二印刷工程による印刷処理が施された前記シート状素材の前記印刷面上に、無彩色の塗布材で印刷を施すことにより、前記前方印刷領域において下地となる下地層の印刷、及び前記後方印刷領域において図柄を構成する図柄層のうち前記無彩色の前記塗布材と同色部分の印刷を行う第三印刷工程とを有する。また、本発明のシート素材の製造方法は、前記後方印刷領域に印刷される図柄が、前記視認方向から正面視した状態において前記後方印刷領域に呈示される図柄を表裏反転させたものとすることができる。
【００３１】
本発明によれば、上述した本発明のクリアケースやクリアケース用支持部材を実現するために最適なシート素材の製造方法を提供できる。
【００３２】
なお、本発明のクリアケースは、図柄をなす層（図柄層）が、レギュラー四色で印刷されたものであることが望ましい。ここでレギュラー四色とは、印刷において基本色となるシアン（Ｃ）、マゼンダ（Ｍ）、イエロー（Ｙ）、ブラック（Ｋ）の４色を意味する。レギュラー四色の印刷により、金色や銀色等の特殊な色を除き再現可能とされている。また、レギュラー四色を使用することにより、自由なデザインが可能となる。
【００３３】
また、本発明のクリアケースは、図柄をなす層（図柄層）を、１色又は２色以上の特色を用いたものとすることも可能である。具体的には、図柄層の印刷に際し、レギュラー四色だけでなく、白色や金色や銀色等の色を使用しても良い。かかる特色を用いることで、シンプルなデザインを構成する場合や、凸版印刷にて印刷をする場合に、レギュラー四色を用いる場合と比較して印刷コストを抑えることができる。
【発明の効果】
【００３４】
本発明によれば、遠近感を利用した立体感溢れた表現が可能であると共に、内部に収容された物品と一体化された意匠表現を実現可能なクリアケースやクリアケース用支持部材と、このような立体的表現を実現するためのシート素材の製造方法を提供できる。
【図面の簡単な説明】
【００３５】
【図１】本発明の第一実施形態に係るクリアケースを組立て、物品であるリンゴを収納した状態を示した斜視図である。
【図２】図１のクリアケースの展開図であり、（ａ）はクリアケースの組立て状態において内側となる面の正面図、（ｂ）は（ａ）の展開図におけるＡ−Ａ’断面図を示している。
【図３】図１のクリアケースの製造工程において用いられる印刷版下を示す説明図であり、（ａ）は第一印刷工程において用いられる印刷版下、（ｂ）は第二印刷工程において用いられる印刷版下、（ｃ）は第三印刷工程において用いられる印刷版下を示している。
【図４】（ａ）は図１のクリアケースをＢ方向から視認した際の意匠絵図、（ｂ）はＣ方向から視認した際の意匠絵図、（ｃ）はＤ方向から視認した際の意匠絵図である。
【図５】図１のクリアケースの製造方法の流れを示すフローチャートである。
【図６】本発明の第二実施形態に係るクリアケースを組立て、物品であるボールペンを収納した状態を示した斜視図である。
【図７】（ａ）は図６のクリアケースの概要を示した正面図であり、（ｂ）は（ａ）のＥ−Ｅ’断面図である。
【図８】（ａ）は図６のクリアケースを構成するクリアケース本体の展開図であり、（ｂ）はＧ−Ｇ’断面図である。
【図９】図６のクリアケースを構成する支持部材の展開図を示している。
【図１０】（ａ）は図９の支持部材を組立てた状態の正面図、（ｂ）は（ａ）の状態からボールペンを挟み込んだ状態の正面図、（ｃ）は（ａ）において図柄が印刷された部位を拡大した断面図である。
【発明を実施するための形態】
【００３６】
≪第一実施形態≫
以下、本発明に係るクリアケース１０の第一実施形態について、図面を参照しながら説明する。なお、以下の説明において、上下左右等の位置関係を示す用語については、特に断りのない限り、図１に示すようにクリアケース１０を配置した状態を基準として説明する。
【００３７】
図１に示すように、クリアケース１０は、リンゴ２（物品）を収容するための内部空間Ｓ１を有する立体的な容器である。クリアケース１０は、樹脂製であって透光性を有するシート状素材１５を箱状に組み立てたクリアケース本体１３によって構成されている。
【００３８】
クリアケース本体１３は、四方を取り囲む側面２１，２２，２３，２４と、上蓋部２５によって構成された天面、底部２６〜２９によって構成された底面の六面によって構成されている。クリアケース本体１３は、図１に示すように側面２１，２２のいずれか一方又は双方を正面視した視認状態（以下、「正視認状態」とも称す）において意匠効果を発現するものである。クリアケース本体１３は、正視認状態において視認方向手前側の領域をなす前方領域Ｆ側から、視認方向奥側の領域をなす後方領域Ｒを視認可能とされている。具体的には、前方領域Ｆをなす側面２１，２２側から後方領域Ｒをなす側面２３，２４を視認可能とされている。
【００３９】
クリアケース本体１３を構成するシート状素材１５には、例えばポリエチレンテレフタレート（ＰＥＴ）やポリプロピレン（ＰＰ）、ポリ塩化ビニル（ＰＶＣ）などの素材を原材料として使用できる。シート状素材１５は、原材料となる樹脂製のシートを図２に示すような形状に打ち抜くことにより形成される。
【００４０】
シート状素材１５は、クリアケース本体１３の組み立て状態において上述したような立体形状となるものであればいかなるものであっても良いが、例えば図３（ａ）に示した展開形状となるものとすることができる。図３（ａ）に示すとおり、本実施形態においては、シート状素材１５は、クリアケース本体１３の側面２１，２２，２３，２４をなす矩形（正方形あるいは長方形）の領域が互いに連接して設けられたものとされている。側面２２の上部には、上蓋部２５をなす矩形の領域が隣接して設けられている。上蓋部２５のさらに上部に隣接して、差込部３０をなす領域が設けられている。側面２２の下部には、隣接して底部２７（フラップ）をなす領域が設けられている。側面２１の上部に隣接して蓋片３３が設けられ、さらに下部に隣接して底部２６が設けられている。さらに側面２１において側面２２とは反対側の位置には、糊代部３１が設けられている。また、側面２３の上部に隣接して蓋片３２が設けられ、下部に隣接して底部２８が設けられている。側面２４の下部には隣接して底部２９が設けられている。
【００４１】
図３（ｂ）に示すように、シート状素材１５は、表面が絵柄を印刷するための印刷面１５ａとされ、裏面が絵柄の印刷が施されない非印刷面１５ｂとされる。クリアケース本体１３は、印刷面１５ａが内側（内部空間Ｓ１側）に向くようにシート状素材１５を組み立てることにより構成される。
【００４２】
また、図３（ａ），（ｂ）に示すように、シート状素材１５には、印刷面１５ａに印刷が施された印刷領域４０と、印刷が施されていない非印刷領域４２とが設けられている。各側面２１，２２，２３，２４においては、意図的に印刷領域４０と非印刷領域４２を設け、クリアケース１０に収納されるリンゴ２を視認可能としている。具体的には、本実施形態では、クリアケース１０の前方領域Ｆをなす側面２１，２２の一部について印刷が施された前方印刷領域４０ａ，４０ｂとされ、残部について前方非印刷領域４２ａ，４２ｂとされている。また、クリアケース１０の後方領域Ｒをなす側面２３，２４については、全体が施された後方印刷領域４０ｃ，４０ｄとされている。
【００４３】
ここで、図３（ｂ）に示すように、前方印刷領域４０ａ，４０ｂにおいては、印刷面１５ａに対して意匠絵図を構成するための前方側図柄層５１が重なり、さらに前方側図柄層５１の一部又は全部に対して無彩色の前方側下地層５３が重なるように多層印刷が施されている。そのため、前方印刷領域４０ａ，４０ｂにおいては、印刷面１５ａに印刷された前方側図柄層５１による絵柄を非印刷面１５ｂ側から視認可能とされている。また、前方非印刷領域４２ａ，４２ｂにおいては、印刷が施されていない。そのため、正視認状態においては、前方非印刷領域４２ａ，４２ｂを通じてクリアケース１０の内部空間Ｓ１や後方領域Ｒを視認できる。
【００４４】
また、後方印刷領域４０ｃ，４０ｄにおいては、印刷面１５ａに対して無彩色の後方側下地層５５が重なり、さらに後方側下地層５５に対して意匠絵図を構成するための着色を施した後方側図柄層５７が重なるように多層印刷が施されている。そのため、後方印刷領域４０ｃ、４０ｄにおいては、印刷面１５ａ側から後方側図柄層５７に描かれた絵柄を視認可能であるが、非印刷面１５ｂ側からは後方側図柄層５７に描かれた絵柄を視認できない。クリアケース１０の組立状態においては、正視認方向後方側に位置する側面２３，２４の印刷面１５ａ側が側面２１，２２の非印刷領域４２を通じて見える。そのため、後方側図柄層５７に描かれた絵柄は、正視認状態において前方非印刷領域４２ａ，４２ｂを通じて視認できるが、クリアケース１０の後方側からは視認できない。
【００４５】
各側面２１，２２，２３，２４についてさらに詳細に説明すると、図１や図２に示すとおり、側面２１には、白雪姫をイメージした絵図６２が印刷されている。側面２１においては、クリアケース１０の組立て状態において、最も外側にシート状素材１５の非印刷面１５ｂが露出している。また、クリアケース１０の内側に配されたシート状素材１５の印刷面１５ａには、クリアケース１０の外側から内側に向けて前方側図柄層５１及び前方側下地層５３の順番で印刷が施されている。そのため、側面２１を正面視すると、白雪姫をイメージした絵図６２があたかもシート状素材１５によってコーティングされたかのような質感で視認される。また、側面２１において絵図６２以外の領域は非印刷領域４２ａとされている。そのため、非印刷領域４２ａを通じて、クリアケース１０の内部空間Ｓ１や、側面２１に対して視認方向奥側に位置する側面２３を視認することができる。
【００４６】
側面２２には、魔女をイメージした絵図６４が印刷されている、側面２２についても、クリアケース１０の組立て状態において側面２１と同様の構成となるように形成されている。すなわち、側面２２においては、クリアケース１０の外側にシート状素材１５の非印刷面１５ｂが露出すると共に、内部空間Ｓ１側に向く印刷面１５ａには、外側から内側に向けて前方側図柄層５１及び前方側下地層５３の順番で印刷が施されている。そのため、側面２２を正面視すると、魔女をイメージした絵図６２があたかもシート状素材１５によってコーティングされたかのような質感で視認される。また、側面２２においては、非印刷領域４２ｂを通じ、クリアケース１０の内部空間Ｓ１や、側面２２に対して視認方向奥側に位置する側面２４を視認することができる。
【００４７】
側面２３には、白雪姫をイメージした絵図６２の背景をなす絵図６６が印刷されている。側面２３においては、クリアケース１０の組立て状態において外側にシート状素材１５の非印刷面１５ｂが露出すると共に、内部空間Ｓ１側に向く印刷面１５ａには多層に亘って印刷が施されている。具体的には、印刷面１５ａには、クリアケース１０の外側から内側に向けて後方側下地層５５、後方側図柄層５７の順で印刷が施されている。そのため、側面２３においては、クリアケース１０の外側ではなく内側に向けて絵図６６の図柄が呈示される。従って、正視認状態においては、側面２１の非印刷領域４２ａを通じ、リンゴ２の背後に絵図６６が拡がっているように見える。なお、側面２３においては非印刷領域４２が設けられていないため、クリアケース１０の外側から絵図６６は視認できない。
【００４８】
側面２４には、魔女をイメージした絵図６４の背景をなす絵図６８が印刷されている。側面２４においても、クリアケース１０の組立て状態において側面２３と同様の構成となるように形成されている。すなわち、クリアケース１０の組立て状態において、外側に露出するように非印刷面１５ｂが設けられている。内部空間Ｓ１側に向く印刷面１５ａにいは、クリアケース１０の外側から内側に向けて後方側下地層５５、後方側図柄層５７の順で印刷が施されている。これにより、側面２４においても、側面２３と同様にクリアケース１０の外側ではなく内側に向けて絵図６８の図柄が呈示される。従って、正視認状態においては、側面２２の非印刷領域４２ｂを通じ、リンゴ２の背後に絵図６８が拡がっているように見える。なお、側面２４においても非印刷領域４２は設けられていないため、クリアケース１０の外側から絵図６８は視認できない。
【００４９】
ここで、上述したクリアケース１０の製造方法について説明する。クリアケース１０は、概ね図５に示したフローに則って製造される。具体的には、クリアケース１０を製造する場合には、先ずステップ１〜ステップ４に係る工程（シート状素材１５の製造方法）によりシート状素材１５を製造する。その後、ステップ５に係る工程においてシート状素材１５を組み立ててクリアケース１０を完成させる。以下、各工程についてさらに詳細に説明する。
【００５０】
具体的には、クリアケース１０を製造する際には、先ずステップ１の第一印刷工程が実施される。第一印刷工程においては、シート状素材１５の印刷面１５ａに対して無彩色の印刷を施すことにより、後方印刷領域４０ｃ，４０ｄにおける下地となる下地層（後方側下地層５５）が印刷される。具体的には、本実施形態では、第一印刷工程においてシート状素材１５に塗布する塗布材として白色のインクが用いられる。そのため、図３（ａ）においてハッチングにより示した領域、後方印刷領域４０ｃ，４０ｄの略全面が無彩色（本実施形態では白色）で印刷される。
【００５１】
上述した第一印刷工程による印刷が完了すると、処理工程がステップ２の第二印刷工程に移行する。第二印刷工程においては、シート状素材１５の印刷面１５ａ側に所定の塗布材を用いて印刷を施すことにより、前方印刷領域４０ａ，４０ｂ及び後方印刷領域４０ｃ，４０ｄにおける図柄層、すなわち前方側図柄層５１及び後方側図柄層５７のうち塗布材で表現可能な部分についての印刷が行われる。本実施形態では、第二印刷工程において用いる塗布材として、レギュラー四色、すなわちシアン（Ｃ）、マゼンダ（Ｍ）、イエロー（Ｙ）、ブラック（Ｋ）の４色のインクが用いられる。
【００５２】
第二印刷工程についてさらに具体的に説明すると、図３（ｂ）に黒色あるいは灰色で示した領域が塗布材で印刷される。また、後方印刷領域４０ｃ，４０ｄにおいて白色の部分を除く領域が塗布材によって印刷される。また、ステップ１において予め印刷されていた後方側下地層５５の上に、後方側図柄層５７をなす有彩色の部分の印刷も完了する。
【００５３】
また、図３（ａ）と図４（ａ），（ｂ）と比較して分かるように、後方印刷領域４０ｃ，４０ｄに印刷される図柄は、視認方向から正面視した状態において後方印刷領域に提示される図柄を表裏反転させたものとされる。
【００５４】
上述した第二印刷工程が完了すると、処理工程がステップ３の第三印刷工程に移行する。第三印刷工程においては、印刷面１５ａ側にさらに無彩色の塗布材を用いて印刷が施されることにより、前方印刷領域４０ａ，４０ｂにおいて下地となる前方側下地層５３の印刷が行われる。これにより、前方印刷領域４０ａ，４０ｂが透光性が大幅に低減される。この状態においては、前方印刷領域４０ａ，４０ｂに印刷された図柄があたかも紙面に印刷されたかのように見える。これに加えて、前方印刷領域４０ａ，４０ｂにおいて図柄を構成する図柄層（前方側図柄層５１）のうち、第三印刷工程にて用いられる無彩色の塗布材（本実施形態では白色）と同色の部分についても印刷される。具体的には、前方印刷領域４０ａに描かれる白色の花柄の領域が印刷される。
【００５５】
上述したようにして樹脂シートに対して印刷が施されると、ステップ４の成型工程において打ち抜き等の手法によりシート状素材１５が切り出される。その後、ステップ５の組立工程において、シート状素材１５を組み立てることにより、クリアケース１０が完成する。なお、クリアケース１０の製造については、ステップ１〜ステップ４の各工程をクリアケースの製造元において行い、ステップ５の組立工程をユーザーが行うようにしても良い。
【００５６】
なお、上述したクリアケース１０の製造方法においては、第三印刷工程において前方印刷領域４０ａ，４０ｂの図柄層（前方側図柄層５１）のうち、無彩色（白色）の部分を印刷する例を示したが、第一印刷工程において前方側図柄層５１のうち無彩色（白色）の部分を印刷するようにしても良い。
【００５７】
次に、クリアケース１０の使用状態において看者に与える意匠効果について図面を参照しながら説明する。図１はクリアケース１０を組立て、リンゴ２を収納した場合の斜視図を示している。クリアケース１０は、側面２１を正面視する方向Ｂから視認すると、視認方向手前側から奥行き方向に側面２１に構成された白雪姫をイメージした絵図６２、リンゴ２（リンゴ）、側面２３（背景）の順に並んだ状態で視認される。これにより、図４（ａ）に示すように、側面２３によって構成された背景と白雪姫との間にリンゴが入った立体的な意匠絵図が構成され、白雪姫の可愛らしい雰囲気とリンゴや背景とが一体化したイメージを看者に与えることができる。
【００５８】
一方、側面２２を正面視する方向Ｃからクリアケース１０を視認した場合には、視認方向手前側から奥行き方向に、側面２２に構成された魔女をイメージした絵図６４、リンゴ２（リンゴ）、側面２４（背景）の順で並んだ状態で視認される。これにより、図４（ｂ）に示すように、側面２４によって構成された背景と魔女との間にリンゴが入った立体的な意匠絵図が構成され、魔女の怖い雰囲気とリンゴや背景とが一体化したイメージを看者に与えることができる。
【００５９】
また、クリアケース１０は、側面２１及び側面２２の双方を正面視できる角度で視認することにより、側面２１あるいは側面２２のみを正面視した状態とは異なるイメージの意匠絵図を構成できる。具体的には、側面２１及び側面２２の間に形成された稜線Ｌ近傍を中心としてクリアケース１０を視認すると、側面２１及び側面２２の双方を正面視した状態になる。この状態においては、側面２１側の領域において白雪姫をイメージした絵図６２、リンゴ２（リンゴ）、側面２３（背景）の順に並んだ状態で視認される一方、側面２２側の領域において魔女をイメージした絵図６４、リンゴ２（リンゴ）、側面２４（背景）の順で並んだ状態で視認される。これにより、図４（ｃ）に示すように、あたかも会話をしている白雪姫と魔女との間にリンゴが入った立体的な意匠絵図が構成され、白雪姫のストーリーを看者に想起させる意匠効果が得られる。
【００６０】
≪第二実施形態≫
次に、本発明の第二実施形態のクリアケース７０について、図面を参照しながら説明する。なお、以下の説明において上下左右等の位置関係については、特に断りのない限り、図６に示すようにクリアケース７０を配置した状態を基準として説明する。また、第一実施形態に係るクリアケース１０と重複する構成については、適宜詳細の説明を省略することがある。
【００６１】
クリアケース７０は、ボールペン４（物品）を収納して、販売するためのものである。クリアケース７０は、クリアケース本体８０に加え、支持部材１００を備えている点において上述したクリアケース１０と構成が大きく相違している。クリアケース７０は、ボールペン４を収納するためのものであり、支持部材１００は、ボールペン４をクリアケース７０内で固定するためのものである。
【００６２】
図６に示すように、クリアケース本体８０は、略直方体状の箱体である。クリアケース本体８０は、ボールペン４や支持部材１００を収容可能な内部空間Ｓ２を有する。クリアケース本体８０は、樹脂製であって透光性を有するシート状素材８１を箱状に組み立てたものである。
【００６３】
クリアケース本体８０は、後面８３、側面８４、前面８５、及び側面８６によって四方が取り囲まれ、天面をなす上蓋部８８と、底面をなす底部９２（フラップ）により上下が閉塞された外観形状を有する。また、クリアケース本体８０には、陳列に利用するためのフック部８７が後面８３から突出するように設けられている。クリアケース本体８０は、図６に示すように前面８５及び側面８６のいずれか一方又は双方を正面視した視認状態（以下、「正視認状態」とも称す）において後に詳述するような特有の意匠効果を発現する。クリアケース本体８０は、正視認状態において視認方向手前側の領域をなす前面８５及び側面８６（前方領域Ｆ）側から、視認方向奥側の領域をなす後面８３及び側面８４（後方領域Ｒ）を視認可能とされている。
【００６４】
シート状素材８１は、組み立て状態においてクリアケース本体８０となるものであればいかなるものであっても良いが、例えば図８（ａ）に示した展開形状となるものとすることができる。図８（ａ）に示したシート状素材８１は、展開状態において糊代部８２、後面８３、側面８４、前面８５、側面８６が互いに連接して設けられている。前面８５の上部には、上蓋部８８が隣接して設けられている。上蓋部８８のさらに上部に隣接して、差込部８９が設けられている。また、前面８５の下部には、隣接して底部９２（フラップ）が設けられ、さらに底部９２の下部には差込部９３が設けられている。後面８３の上部には隣接してフック部８７が設けられており、フック部８７の略中央には穴部９６が設けられている。側面８４，８６の上部にはそれぞれ隣接して蓋片９０，９１が設けられ、下部にはそれぞれ隣接して底片９４，９５が設けられている。
【００６５】
図８（ｂ）に示すように、シート状素材８１は、表面が絵柄を印刷するための印刷面８１ａとされ、裏面が絵柄の印刷が施されない非印刷面８１ｂとされる。クリアケース本体８０は、印刷面８１ａが内側（内部空間Ｓ２側）に向くようにシート状素材８１を組み立てることにより構成される。
【００６６】
また、シート状素材８１には、印刷面８１ａに印刷が施された印刷領域１４０と、印刷が施されていない非印刷領域１４２とが設けられている。印刷領域１４０だけでなく非印刷領域１４２を設けることにより、クリアケース本体８０に収納されるボールペン４等を視認可能としている。具体的には、本実施形態では、クリアケース本体８０の前方領域Ｆをなす前面８５及び側面８６の一部が前方印刷領域１４０ａ，１４０ｂとされ、残部が前方非印刷領域１４２ａ，１４２ｂとされている。また、後方領域Ｒをなす後面８３及び側面８４については、全体が後方印刷領域１４０ｃ，１４０ｄとされており、非印刷領域１４２は存在していない。
【００６７】
図８（ｂ）に示すとおり、前方印刷領域１４０ａ，１４０ｂにおいては、印刷面８１ａに対して意匠絵図を構成するための前方側図柄層１５４が重なり、さらに前方側図柄層１５４の一部又は全部に対して無彩色（本実施形態においては白色）の前方側下地層１５２が重なるように多層印刷が施されている。そのため、前方印刷領域１４０ａ，１４０ｂにおいては、印刷面８１ａに印刷された前方側図柄層１５４による絵柄を非印刷面８１ｂ側から視認可能とされている。前方印刷領域１４０ａ，１４０ｂには、人の手の親指付近をイメージした絵図１３４が構成されている。また、前方非印刷領域１４２ａ，１４２ｂにおいては、印刷が施されていない。そのため、正視認状態においては、前方非印刷領域１４２ａ，１４２ｂを通じてクリアケース本体８０の内部空間Ｓ２や後方領域Ｒを視認できる。
【００６８】
また、後方印刷領域１４０ｃ，１４０ｄにおいては、印刷面８１ａに対して無彩色（本実施形態では白色）の後方側下地層１５１が重なり、さらに後方側下地層１５１に対して意匠絵図を構成するための着色を施した後方側図柄層１５３が重なるように多層印刷が施されている。そのため、後方印刷領域１４０ｃ、１４０ｄにおいては、印刷面８１ａ側から後方側図柄層１５３に描かれた絵柄を視認可能であるが、非印刷面１５ｂ側からは後方側図柄層１５３に描かれた絵柄を視認できない。すなわち、後方側図柄層１５３に描かれた絵柄は、正視認状態において前方非印刷領域１４２ａ，１４２ｂを通じて視認できるが、クリアケース本体８０の後方（背後）からは視認できない。後面８３及び側面８４の後方印刷領域１４０ｃ，１４０ｄには、原稿用紙をイメージした絵図１３２が構成されている。なお、後方領域Ｒをなす後面８３及び側面８４には非印刷領域１４２が設けられていない。
【００６９】
図１０（ｂ）等に示すように、支持部材１００は、ボールペン４を固定してクリアケース本体８０に収納するためのものである。図９に示すように、支持部材１００は、透光性を有する樹脂製のシート状素材１０２によって構成されている。シート状素材１０２は、原材料となる樹脂製のシートに対して印刷を施し、さらに略長方形に打ち抜き、折線を設ける等の加工を施して形成されたものである。
【００７０】
具体的には、シート状素材１０２には、長手方向に１０本の折線１０６ａ，１０６ｂ，１０８ａ，１０８ｂ，１１０ａ，１１０ｂ，１１２ａ，１１２ｂ，１２２ａ，１２２ｂと、切込線１２４ａ，１２４ｂとが設けられている。図１０に示すように、シート状素材１０２は、折線１０６ａ，１０６ｂ，１０８ａ，１０８ｂ，１１０ａ，１１０ｂ，１１２ａ，１１２ｂに沿って折り曲げることができる。シート状素材１０２をこのように折り曲げると、支持部前面１１１，１１３（前方支持部）、支持部後面１１５（後方支持部）、支持部側面１０７，１０９が形成される。また、シート状素材１０２の幅方向中間部には、上下方向に亘って斜めに延びる溝部１２６が形成される。溝部１２６は、支持部側面１０７，１０９及び支持部後面１１５によって区画された溝状の部分であり、ボールペン４が略隙間なく嵌まる大きさとされている。また、シート状素材１０２の長手方向中央より上部には、折線１２２ａ，１２２ｂと切込線１２４ａ，１２４ｂによって固定部１２０が形成される。固定部１２０は、支持部前面１１１，１１３側において溝部１２６を跨ぐように形成された帯状の部分である。固定部１２０が設けられることにより、ボールペン４を挿通させて溝部１２６から脱落しないように固定することができる。
【００７１】
シート状素材１０２は、一方の面が印刷面１０２ａとされ、他方の面が非印刷面１０２ｂとされている。シート状素材１０２では、クリアケース本体８０に支持部材１００を収容した状態において、クリアケース本体８０の後面８３側を向く面が印刷面１０２ａとされ、前面８５側を向く面が非印刷面１０２ｂとされている。シート状素材１０２においては、印刷面１０２ａ側にのみ印刷が施され、非印刷面１０２ｂには印刷が施されていない。
【００７２】
また、シート状素材１０２には、印刷面１０２ａにおいて印刷が施された支持部印刷領域１４５と、印刷が施されていない支持部非印刷領域１４７とが設けられている。支持部印刷領域１４５には、人の手がボールペン４を握ったイメージを構成するための絵図１３６が構成されている。
【００７３】
支持部印刷領域１４５においては、上述したクリアケース本体８０と同様の手法により印刷が施されている。具体的には、図１０（ｃ）に示すように、支持部印刷領域１４５においては、印刷面１０２ａに対して意匠絵図を構成するための図柄層１５５が重なり、さらに図柄層１５５に対して無彩色（本実施形態においては白色）の下地層１５７が重なるように多層印刷が施されている。また、図柄層１５５には、正視認状態において確認される図柄とは表裏反転した状態で図柄が印刷されている。そのため、シート状素材１０２を折り曲げて支持部材１００を形成すると、図１０のように非印刷面１０２ｂ側から印刷領域１４０ｃに人の手をイメージした絵図１３６を視認できる。
【００７４】
次に、クリアケース７０の使用状態において看者に与える視認効果につき、図面を参照しつつ詳細に説明する。クリアケース７０は、支持部材１００にボールペン４を装着したものをクリアケース本体８０に収容させた状態で使用される。先ず、支持部材１００にボールペン４を装着した状態においては、図１０（ｂ）に示すように、人の手をイメージした絵図１３６に現された人差し指と中指とでボールペン４が挟まれているかのようなイメージの意匠効果が得られる。また、ボールペン４を装着した状態の支持部材１００をクリアケース本体８０内に収容させると、図６や図７（ａ）に示すように、ボールペン４の手前に親指付近をイメージした絵図１３４が配置された状態になる。これにより、筆記するためにボールペン４を人の手で握っているかのようなイメージの意匠絵図が立体的に構成される。さらに、図６に示すように、後面８３及び側面８４に描かれた原稿用紙をイメージした絵図１３２が背後に現れる。これにより、絵図１３２によって表現された原稿用紙にしたためられた文字をボールペン４で記入している状況を看者に想起させるような意匠効果が得られる。
【００７５】
本実施形態では、図柄の印刷に、レギュラー四色のインク、すなわちシアン、マゼンダ、イエロー、ブラックのインクを使用しているが本発明はこれに限定されるものではなく、その他１色又は２色以上の特色を用いることも可能である。具体的には、白色や金色や銀色等の色を図柄の印刷に使用しても良い。
【００７６】
上述した本発明のクリアケースは、本発明の実施形態の一部を例示したものに過ぎず、本発明の趣旨を逸脱しない範囲内で、大きさや印刷領域、クリアケースの形状等、適宜選択可能である。クリアケースの中に収納する物品とクリアケースが一体化したデザインの選択により、物品を商品として店頭で販売する場合において、クリアケースに構成されるデザイン絵図の奥行きやストーリー性を利用したデザインが可能となる。また、商品のイメージをわかりやすく消費者に認識させ、消費者が見て楽しめる、目を引く等の販促効果が期待できる。
【産業上の利用可能性】
【００７７】
本発明のクリアケース、クリアケース用支持部材、及びシート素材の製造方法は、物品を販売するための包装資材、サンプル品の展示等、物品の様々な販促に有効活用することができる。
【符号の説明】
【００７８】
２    リンゴ（物品）
４    ボールペン（物品）
１０    クリアケース
１３    クリアケース本体
１５    シート状素材
１５ａ  印刷面
１５ｂ  非印刷面
４０    印刷領域
４０ａ  前方印刷領域
４０ｂ  前方印刷領域
４０ｃ  後方印刷領域
４０ｄ  後方印刷領域
４２    非印刷領域
４２ａ  前方非印刷領域
４２ｂ  前方非印刷領域
４２ａ  非印刷領域
４２ｂ  非印刷領域
５１    前方側図柄層
５３    前方側下地層
５５    後方側下地層
５７    後方側図柄層
７０    クリアケース
８０    クリアケース本体
８１    シート状素材
８１ａ  印刷面
８１ｂ  非印刷面
１００    支持部材
１０２    シート状素材
１０２ａ  印刷面
１０２ｂ  非印刷面
１０７    支持部側面
１１１    支持部前面
１１５    支持部後面
１４０    印刷領域
１４０ａ  前方印刷領域
１４０ｂ  前方印刷領域
１４０ｃ  後方印刷領域
１４０ｄ  後方印刷領域
１４２    非印刷領域
１４２ａ  前方非印刷領域
１４２ｂ  前方非印刷領域
１４５    支持部印刷領域
１４７    支持部非印刷領域
１５１    後方側下地層
１５２    前方側下地層
１５３    後方側図柄層
１５４    前方側図柄層
１５５    図柄層
１５７    下地層
Ｓ１    内部空間
Ｓ２    内部空間
Ｆ    前方領域
Ｒ    後方領域
【図１】
0006525187.tif 000002
【図２】
0006525187.tif 000003
【図３】
0006525187.tif 000004
【図４】
0006525187.tif 000005
【図５】
0006525187.tif 000006
【図６】
0006525187.tif 000007
【図７】
0006525187.tif 000008
【図８】
0006525187.tif 000009
【図９】
0006525187.tif 000010
【図１０】
0006525187.tif 000011